(57)【要約】【課題】デジタル−アナログ変換器を共用可能なＡＶプレーヤーチップ及びＡＶシステムを提供する。【解決手段】ＡＶプレーヤーチップは、ＴＶエンコーダと、タイミング制御器と、マルチプレクサと、複数のデジタル−アナログ変換器とを有する。ＴＶエンコーダは、第１の画像信号をＴＶビデオ信号に変換するために用いられる。タイミング制御器は、出力信号を発生させるために用いられる。マルチプレクサは、前記ＴＶエンコーダへ結合された第１の入力端の組と、前記タイミング制御器へ結合された第２の入力端の組と、制御端と、出力端の組とを有する。マルチプレクサは、前記制御端によって受信された制御信号に従って出力端の組へＴＶビデオ信号又は出力信号を出力する。複数のデジタル−アナログ変換器は、マルチプレクサの出力端の組へ結合され、ＴＶビデオ信号を第１の再生信号に変換し且つ出力信号を第２の再生信号に変換する。【選択図】図２
0003133558.tif 000002
【実用新案登録請求の範囲】
【請求項１】
デジタル−アナログ変換器を共用可能なＡＶプレーヤーチップであって、
第１の画像信号をＴＶビデオ信号に変換するために用いられるＴＶエンコーダと、
第２の画像信号を受信して、出力信号を発生させるために用いられるタイミング制御器と、
前記ＴＶビデオ信号を受信するよう前記ＴＶエンコーダへ結合され且つ前記出力信号を受信するよう前記タイミング制御器へ結合され、制御信号に従って選択的に前記ＴＶビデオ信号又は前記出力信号を出力するために用いられるマルチプレクサと、
前記ＴＶビデオ信号を第１の再生信号に変換するために及び前記出力信号を第２の再生信号に変換するために前記マルチプレクサへ結合された複数のデジタル−アナログ変換器とを有するＡＶプレーヤーチップ。
【請求項２】
前記マルチプレクサは、
前記ＴＶエンコーダへ結合された第１の入力端の組と、
前記タイミング制御器へ結合された第２の入力端の組と、
前記制御信号を受信するために用いられる制御端と、
個々に前記複数のデジタル−アナログ変換器へ結合された出力端の組とを更に有する、請求項１記載のＡＶプレーヤーチップ。
【請求項３】
前記ＴＶエンコーダへ結合され、前記第１の画像信号を発生させるよう画像データをデコードする画像デコーダを更に有する、請求項１記載のＡＶプレーヤーチップ。
【請求項４】
前記画像デコーダはＭＰＥＧ２（Ｍｏｖｉｎｇ  Ｐｉｃｔｕｒｅ  Ｃｏｄｉｎｇ  Ｅｘｐｅｒｔｓ  Ｇｒｏｕｐ  ２）デコーダである、請求項３記載のＡＶプレーヤーチップ。
【請求項５】
前記画像デコーダと前記タイミング制御器との間に結合され、前記第２の画像信号を発生させるよう前記第１の画像信号を調整するスケーラと、
前記画像デコーダへ結合され、該画像デコーダによってデコードしたい画像データを保存するメモリとを更に有する、請求項３記載のＡＶプレーヤーチップ。
【請求項６】
前記メモリは静的ランダムアクセスメモリ（ＳＲＡＭ）である、請求項５記載のＡＶプレーヤーチップ。
【請求項７】
前記複数のデジタル−アナログ変換器は、個々にＲ接続ポート、Ｇ接続ポート、及びＢ接続ポートへ結合され、Ｒ形式、Ｇ形式、及びＢ形式で前記第２の再生信号を出力する３つのデジタル−アナログ変換器を有する、請求項１記載のＡＶプレーヤーチップ。
【請求項８】
前記複数のデジタル−アナログ変換器は、コンポジットビデオ端子接続ポート及び２つのＳビデオ端子接続ポートへ結合され、コンポジットビデオ形式及びＳビデオ形式で前記第１の再生信号を出力する３つのデジタル−アナログ変換器を有する、請求項１記載のＡＶプレーヤーチップ。
【請求項９】
前記複数のデジタル−アナログ変換器は、Ｙ接続ポート、Ｐｂ接続ポート、及びＰｒ接続ポートへ結合され、Ｙ形式、Ｐｂ形式、及びＰｒ形式で前記第１の再生信号を出力する３つのデジタル−アナログ変換器を有する、請求項１記載のＡＶプレーヤーチップ。
【請求項１０】
デジタル−アナログ変換器を共用可能なＡＶシステムであって：
画像データを供給するために用いられるＡＶ制御装置；
該ＡＶ制御装置へ結合され、
第１の画像信号をＴＶビデオ信号に変換するために用いられるＴＶエンコーダと、
第２の画像信号を受信して、出力信号を発生させるために用いられるタイミング制御器と、
前記ＴＶビデオ信号を受信するよう前記ＴＶエンコーダへ結合され且つ前記出力信号を受信するよう前記タイミング制御器へ結合され、制御信号に従って選択的に前記ＴＶビデオ信号又は前記出力信号を出力するために用いられるマルチプレクサと、
前記ＴＶビデオ信号を第１の再生信号に変換するために及び前記出力信号を第２の再生信号に変換するために前記マルチプレクサへ結合された複数デジタル−アナログ変換器と、
を有するＡＶプレーヤーチップ；及び
前記複数のデジタル−アナログ変換器へ結合され、アナログ形式で前記第１の再生信号又は前記第２の再生信号を表示する表示装置；
を有するＡＶシステム。
【請求項１１】
前記マルチプレクサは、
前記ＴＶエンコーダへ結合された第１の入力端の組と、
前記タイミング制御器へ結合された第２の入力端の組と、
前記制御信号を受信するために用いられる制御端と、
個々に前記複数のデジタル−アナログ変換器へ結合された出力端の組とを更に有する、請求項１０記載のＡＶシステム。
【請求項１２】
前記ＡＶプレーヤーチップは、前記ＴＶエンコーダへ結合され、前記第１の画像信号を発生させるよう画像データをデコードする画像デコーダを更に有する、請求項１０記載のＡＶシステム。
【請求項１３】
前記画像デコーダはＭＰＥＧ２（Ｍｏｖｉｎｇ  Ｐｉｃｔｕｒｅ  Ｃｏｄｉｎｇ  Ｅｘｐｅｒｔｓ  Ｇｒｏｕｐ  ２）デコーダである、請求項１２記載のＡＶシステム。
【請求項１４】
前記ＡＶプレーヤーチップは、
前記画像デコーダと前記タイミング制御器との間に結合され、前記第２の画像信号を発生させるよう前記第１の画像信号を調整するスケーラと、
前記画像デコーダへ結合され、該画像デコーダによってデコードしたい画像データを保存するメモリとを更に有する、請求項１０記載のＡＶシステム。
【請求項１５】
前記メモリは静的ランダムアクセスメモリ（ＳＲＡＭ）である、請求項１４記載のＡＶシステム。
【請求項１６】
前記複数のデジタル−アナログ変換器は、個々にＲ接続ポート、Ｇ接続ポート、及びＢ接続ポートへ結合され、Ｒ形式、Ｇ形式、及びＢ形式で前記第２の再生信号を出力する３つのデジタル−アナログ変換器を有する、請求項１０記載のＡＶシステム。
【請求項１７】
前記複数のデジタル−アナログ変換器は、コンポジットビデオ端子接続ポート及び２つのＳビデオ端子接続ポートへ結合され、コンポジットビデオ形式及びＳビデオ形式で前記第１の再生信号を出力する３つのデジタル−アナログ変換器を有する、請求項１０記載のＡＶシステム。
【請求項１８】
前記複数のデジタル−アナログ変換器は、Ｙ接続ポート、Ｐｂ接続ポート、及びＰｒ接続ポートへ結合され、Ｙ形式、Ｐｂ形式、及びＰｒ形式で前記第１の再生信号を出力する３つのデジタル−アナログ変換器を有する、請求項１０記載のＡＶシステム。
【請求項１９】
前記ＡＶ制御装置は、デジタル・バーサトル・ディスク・プレーヤー（ＤＶＤプレーヤー）、デジタル・バーサトル・ディスク・デコーダ（ＤＶＤデコーダ）、又はデジタル・テレビジョンである、請求項１０記載のＡＶシステム。
【請求項２０】
前記表示装置は、テレビジョンモニタ又はＴＦＴＬＣＤである、請求項１０記載のＡＶシステム。
【請求項２１】
ＡＶプレーヤーチップのデジタル−アナログ変換器を共用可能なＡＶ再生方法であって、
（ａ）第１の画像信号をＴＶビデオ信号に変換するためにＴＶエンコーダを用いるステップと、
（ｂ）第２の画像信号に従って対応する出力信号を発生させるためにタイミング制御器を用いるステップと、
（ｃ）前記ＴＶビデオ信号又は前記出力信号を出力するよう選択するステップと、
（ｄ）アナログ形式で前記ＴＶビデオ信号を第１の再生信号に変換するステップ及び、前記アナログ形式で前記出力信号を第２の再生信号に変換するステップと、
を有するＡＶ再生方法。
【請求項２２】
前記ステップ（ｄ）は、コンポジットビデオ形式及びＳビデオ形式で前記ＴＶビデオ信号を前記第１の再生信号に変換するステップを有する、請求項２１記載のＡＶ再生方法。
【請求項２３】
前記ステップ（ｄ）は、Ｙ形式、Ｐｂ形式、及びＰｒ形式で前記ＴＶビデオ信号を前記第１の再生信号に変換するステップを有する、請求項２１記載のＡＶ再生方法。
【請求項２４】
前記ステップ（ｄ）は、Ｒ形式、Ｇ形式、及びＢ形式で前記出力信号を前記第２の再生信号に変換するステップを有する、請求項２１記載のＡＶ再生方法。
【請求項２５】
前記アナログ形式で前記第１の再生信号を表示するステップと、
前記アナログ形式で前記第２の再生信号を表示するステップとを更に有する、請求項２１記載のＡＶ再生方法。
【請求項２６】
前記第１の画像信号を発生させるよう画像データをデコードするステップと、
デコードしたい画像データを保存するステップと、
前記第２の画像信号を発生させるよう前記第１の画像信号を調整するステップとを更に有する、請求項２１記載のＡＶ再生方法。
【考案の詳細な説明】
【技術分野】
【０００１】
本考案は、デジタル−アナログ変換器を共用可能なＡＶプレーヤーチップ及び関連するＡＶシステムに関し、更に具体的には、出力信号の信号形式を選択するようマルチプレクサを用いるＡＶプレーヤーチップ及び関連するＡＶシステムに関する。
【背景技術】
【０００２】
マルチメディア技術における近年の進歩及び情報の高速化に伴って、種々雑多なオーディオ・ビデオ装置が、画像及び音声の感覚的楽しさ及びデータ伝送を提供するために用いられる。しかし、日に日にオーディオ・ビデオ技術が変化するとともに、多種多様な信号規格を有する画像信号及び音声信号が流行の流れに乗ってやって来る。デジタル・テレビジョンは、通常、様々なアナログ表示インターフェースに対応する。例えば、ビデオ信号は、コンポジットビデオ放送信号（ＣＶＢＳ）、Ｓビデオ信号、クロミナンス・ビデオ信号（Ｙ、Ｐｂ、又はＰｒ）等に分けられる。ＴＦＴＬＣＤモニタは、通常、例えばＲ、Ｇ、Ｂ形式といった画像信号に対応する。同時に画像を見るための外部接続テレビジョン又は内蔵ＴＦＴＬＣＤモニタに満足するために、ＡＶプレーヤーチップは、通常、二組のデジタル−アナログ変換器を有する。そのうちの一組のデジタル−アナログ変換器は、コンポジットビデオ形式及びＳビデオ形式で（又はＹ、Ｐｂ、Ｐｒ形式で）画像信号を外部接続テレビジョンのＡＶ端子へ出力するために用いられ、他方の組のデジタル−アナログ変換器は、画像を再生するために、Ｒ、Ｇ、及びＢ形式で画像信号をＴＦＴＬＣＤモニタへ出力するために用いられる。
【０００３】
マルチメディア電子機器製品は、現在、マルチメディア技術及びデジタル保存技術における進歩により、ますます多くの機能を提供する。近年、マルチメディア電子機器製品は、人々の生活の大部分を占めつつある。例えば、携帯電話、携帯型マルチメディアプレーヤー、デジタル・テレビジョン、及び他の無線装置などのマルチメディア電子機器製品が日に日に成熟しつつあることに起因して、マルチメディア電子機器製品のＡＶプレーヤーチップは、これらの装置により多くの様々な機能を実行させるために決定的な役割を果たす。デジタル−アナログ変換器は、通常、例えば、ＤＶＤプレーヤー、ＶＣＤプレーヤー、携帯型ＡＶプレーヤー、デジタル・テレビジョン、及び家庭用ＡＶ製品などのマルチメディア電子機器製品において用いられ、ユーザは、デジタル−アナログ変換器により画像を再生するよう画像信号をアナログ形式に変換することができる。
【０００４】
図１を参照する。図１は、従来技術に従うＡＶプレーヤーチップ１０の図である。ＡＶプレーヤーチップ１０は、メモリ１１と、画像デコーダ１２と、スケーラ１６と、ＴＶエンコーダ１４と、タイミング制御器１８と、第１のデジタル−アナログ変換器の組１５と、第２のデジタル−アナログ変換器の組１７とを有する。第１のデジタル−アナログ変換器の組１５は３個のデジタル−アナログ変換器ＤＡＣ１を有し、第２のデジタル−アナログ変換器の組１７は３個のデジタル−アナログ変換器ＤＡＣ２を有する。メモリ１１は、画像データを保存するために用いられ、静的ランダムアクセスメモリ（ＳＲＡＭ）であっても良い。画像デコーダ１２は、メモリ１１の出力端へ結合され、第１の画像信号を発生させるよう画像データをデコードする。スケーラ１６は、画像デコーダ１２とタイミング制御器１８との間に結合され、第２の画像信号を発生させるよう第１の画像信号を調整する。ＴＶエンコーダ１４は、画像デコーダ１２の出力端１２２へ結合された入力端１４２と、個々に第１のデジタル−アナログ変換器の組１５の３個のデジタル−アナログ変換器ＤＡＣ１へ結合された３個の出力端１４４、１４６、及び１４８とを有する。ＴＶエンコーダ１４は、第１の画像信号をＴＶビデオ信号に変換するために用いられる。第１のデジタル−アナログ変換器の組１５の３個のデジタル−アナログ変換器ＤＡＣ１は、ＴＶエンコーダ１４によって出力されたＴＶビデオ信号セットをアナログ形式に変換して、個々にＣＶＢＳ信号、Ｙ信号、及びＣ信号を出力するために用いられる。タイミング制御器１８は、スケーラ１６の出力端へ結合され、第２の画像信号を受信するための入力端１８２と、個々に第２のデジタル−アナログ変換器の組１７の３個のデジタル−アナログ変換器ＤＡＣ２へ結合された３個の出力端１８４、１８６、及び１８８とを有する。タイミング制御器１８は、第２の画像信号に従って対応する出力信号を発生させるために用いられる。第２のデジタル−アナログ変換器の組１７の３個のデジタル−アナログ変換器ＤＡＣ２は、タイミング制御器１８によって出力された出力信号セットをアナログ形式に変換して、個々にＲ信号、Ｇ信号、及びＢ信号を出力するために用いられる。画像デコーダ１２はＭＰＥＧ２デコーダであっても良い。
【考案の開示】
【考案が解決しようとする課題】
【０００５】
従来技術では、ＡＶプレーヤーチップは、通常、二組のデジタル−アナログ変換器を有する。そのうちの一組のデジタル−アナログ変換器は、コンポジットビデオ形式及びＳビデオ形式で（又はＹ、Ｐｂ、Ｐｒ形式で）画像信号を外部接続テレビジョンのＡＶ端子へ出力するために用いられ、他方の組のデジタル−アナログ変換器は、直接的に画像を再生するために、Ｒ、Ｇ、及びＢ形式で画像信号を内蔵ＴＦＴＬＣＤモニタへ出力するために用いられる。信号を変換するために二組のデジタル−アナログ変換器を用いる上記方法は、経済的ではない。その上、デジタル−アナログ変換器は、極めて大きな面積を専有し、費用自体を浪費する。結果として、チップサイズ及び製造費用は大幅に増大する。
【課題を解決するための手段】
【０００６】
請求される本考案は、デジタル−アナログ変換器を共用可能なＡＶプレーヤーチップを提供する。当該ＡＶプレーヤーチップは、ＴＶエンコーダと、タイミング制御器と、マルチプレクサと、複数のデジタル−アナログ変換器とを有する。前記ＴＶエンコーダは、第１の画像信号をＴＶビデオ信号に変換するために用いられる。前記タイミング制御器は、第２の画像信号を受信して、出力信号を発生させるために用いられる。前記マルチプレクサは、前記ＴＶビデオ信号を受信するよう前記ＴＶエンコーダへ結合され、前記出力信号を受信するよう前記タイミング制御器へ結合される。前記マルチプレクサは、制御信号に従って選択的に前記ＴＶビデオ信号又は前記出力信号を出力するために用いられる。前記マルチプレクサは、第１の入力端の組と、第２の入力端の組と、制御端と、出力端の組とを有する。前記複数のデジタル−アナログ変換器は、前記ＴＶビデオ信号を第１の再生信号に変換するために及び前記出力信号を第２の再生信号に変換するために前記マルチプレクサへ結合される。
【０００７】
請求される本考案は、デジタル−アナログ変換器を共用可能なＡＶシステムを提供する。当該ＡＶシステムは、ＡＶ制御装置と、ＡＶプレーヤーチップと、表示装置とを有する。前記ＡＶ制御装置は、画像データを供給するために用いられる。前記ＡＶプレーヤーチップは、前記ＡＶ制御装置へ結合される。前記ＡＶプレーヤーチップは、ＴＶエンコーダと、タイミング制御器と、マルチプレクサと、複数のデジタル−アナログ変換器とを有する。前記ＴＶエンコーダは、第１の画像信号をＴＶビデオ信号に変換するために用いられる。前記タイミング制御器は、第２の画像信号を受信して、出力信号を発生させるために用いられる。前記マルチプレクサは、前記ＴＶビデオ信号を受信するよう前記ＴＶエンコーダへ結合され、前記出力信号を受信するよう前記タイミング制御器へ結合される。前記マルチプレクサは、制御信号に従って選択的に前記ＴＶビデオ信号又は前記出力信号を出力するために用いられる。前記マルチプレクサは、第１の入力端の組と、第２の入力端の組と、制御端と、出力端の組とを有する。前記複数のデジタル−アナログ変換器は、前記ＴＶビデオ信号を第１の再生信号に変換するために及び前記出力信号を第２の再生信号に変換するために前記マルチプレクサへ結合される。前記表示装置は、前記複数のデジタル−アナログ変換器へ結合され、前記第１の再生信号又は前記第２の再生信号をアナログ形式で表示する。前記ＡＶ制御装置は、デジタル・バーサトル・ディスク・プレーヤー（ＤＶＤプレーヤー）、デジタル・バーサトル・ディスク・デコーダ（ＤＶＤデコーダ）、又はデジタル・テレビジョンである。前記表示装置はテレビジョンモニタ又はＴＦＴＬＣＤである。
【０００８】
請求される本考案は、ＡＶプレーヤーチップのデジタル−アナログ変換器を共用可能なＡＶ再生方法を提供する。当該ＡＶ再生方法は、第１の画像信号をＴＶビデオ信号に変換するためにＴＶエンコーダを用いるステップと、第２の画像信号に従って対応する出力信号を発生させるためにタイミング制御器を用いるステップと、前記ＴＶビデオ信号又は前記出力信号を出力するよう選択するステップと、アナログ形式で前記ＴＶビデオ信号を第１の再生信号に変換し、前記アナログ形式で前記出力信号を第２の再生信号に変換するステップとを有する。当該方法は、前記アナログ形式で前記第１の再生信号を表示するステップと、前記アナログ形式で前記第２の再生信号を表示するステップとを更に有する。
【考案の効果】
【０００９】
上記記載から、本考案はデジタル−アナログ変換器を共用可能なＡＶプレーヤーチップ及びＡＶシステムを提供する。マルチプレクサは、ＡＶプレーヤーチップに加えられ、同じデジタル−アナログ変換器の組が、マルチプレクサの選択により、外部接続テレビジョン及び内蔵モニタの両方によって共有される。結果として、（コンポジットビデオ形式及びＳビデオ形式にある、又はＹ、Ｐｂ、Ｐｒ形式にある）第１の再生信号がテレビジョンのＡＶ端子へ送信されうるのみならず、（Ｒ、Ｇ、Ｂ形式にある）第２の再生信号も内蔵ＴＦＴＬＣＤモニタへ送信される。従って、一組のデジタル−アナログ変換器は、チップ面積及び費用を節約するよう除かれうる。更に、そのデジタル−アナログ変換器の組の電力消費は低減する。これは、携帯型マルチメディアプレーヤーにおいて極めて重要である。
【考案を実施するための最良の形態】
【００１０】
本考案の上記及び他の目的は、様々な図で表される好ましい実施例に関する以下の詳細な説明を読むことで、当業者に自明となるであろう。
【００１１】
図２を参照する。図２は、本考案の実施例に従うＡＶプレーヤーチップ２０の図である。ＡＶプレーヤーチップ２０は、メモリ２１と、画像デコーダ２２と、スケーラ２６と、ＴＶエンコーダ２４と、タイミング制御器２８と、マルチプレクサ２５と、第３のデジタル−アナログ変換器の組１９とを有する。第３のデジタル−アナログ変換器の組１９は、３個のデジタル−アナログ変換器ＤＡＣ３を有する。メモリ２１は、画像データを保存するために用いられ、静的ランダムアクセスメモリ（ＳＲＡＭ）であっても良い。画像デコーダ２２は、メモリ２１の出力端へ結合され、第１の画像信号を発生するよう画像データをデコードする。スケーラ２６は、画像デコーダ２２とタイミング制御器２８との間に結合され、第２の画像信号を発生させるよう第１の画像信号を調整する。マルチプレクサ２５は、６個の入力端２５１〜２５６と、３個の出力端２５７〜２５９と、制御端２５０とを有する。ＴＶエンコーダ２４は、画像デコーダ２２の出力端２２２へ結合された入力端２４２を有し、第１の画像信号を受信する。ＴＶエンコーダ２４は、個々にマルチプレクサ２５の３個の入力端２５１、２５２、及び２５３へ結合された３個の出力端２４４、２４６、及び２４８を有する。ＴＶエンコーダ２４は、第１の画像信号をＴＶビデオ信号セットに変換するために用いられる。タイミング制御器２８は、スケーラ２６の出力端２６２へ結合された入力端２８２を有し、第２の画像信号を受信する。タイミング制御器２８は、個々にマルチプレクサ２５の３個の出力端２５４、２５５、及び２５６へ結合された３個の出力端２８４、２８６、及び２８８を有する。タイミング制御器２８は、第２の画像信号に従って対応する出力信号セットを発生させるために用いられる。第３のデジタル−アナログ変換器の組１９の３個のデジタル−アナログ変換器ＤＡＣ３は、マルチプレクサ２５が制御端２５０の制御信号によりＴＶエンコーダ２４によって出力されたＴＶビデオ信号セットを出力するよう選択する場合に、ＴＶビデオ信号セットをアナログ形式に変換して、個々にＣＶＢＳ形式、Ｙ形式、及びＣ形式で第１の再生信号を出力するために用いられる。他方で、第３のデジタル−アナログ変換器の組１９の３個のデジタル−アナログ変換器ＤＡＣ３は、マルチプレクサ２５が制御端２５０の制御信号によりタイミング制御器２８によって出力された出力信号セットを出力するよう選択する場合に、出力信号セットをアナログ形式に変換して、個々にＲ形式、Ｇ形式、及びＢ形式で第２の再生信号を出力するために用いられる。画像デコーダ２２は、ＭＰＥＧ２デコーダ（Ｍｏｖｉｎｇ  Ｐｉｃｔｕｒｅ  Ｃｏｄｉｎｇ  Ｅｘｐｅｒｔｓ  Ｇｒｏｕｐ  ２  Ｄｅｃｏｄｅｒ）であっても良い。
【００１２】
図３を参照する。図３は、本考案の実施例に従うＡＶシステム３０の図である。ＡＶシステム３０は、ＡＶ制御装置３２と、ＡＶプレーヤーチップ２０と、ＴＶモニタ３６と、ＬＣＤモニタ３８とを有する。一実施例において、ＡＶ制御装置３２は、デジタル・テレビジョン、携帯型ＤＶＤプレーヤー、又はＤＶＤデコーダであっても良い。ＡＶ制御装置３２は、画像データの発生源を提供するために用いられる。ＡＶプレーヤーチップ２０は、ＡＶ制御装置３２へ結合され、画像データを受信する。図３のＡＶプレーヤーチップ２０の要素及び接続手段は、図２に示されたＡＶプレーヤーチップ２０と同じであり、ここで更に述べない。ＴＶモニタ３６は、個々に第３のデジタル−アナログ変換器の組１９の３個のデジタル−アナログ変換器ＤＡＣ３へ結合された３個の入力端３６２、３６４、及び３６６を有する。第３のデジタル−アナログ変換器の組１９の３個のデジタル−アナログ変換器ＤＡＣ３は、マルチプレクサ２５が制御端２５０の制御信号によりＴＶエンコーダ２４によって出力されたＴＶビデオ信号セットを出力するよう選択する場合に、ＴＶビデオ信号セットをアナログ形式に変換して、個々にＴＶモニタ３６の３個の入力端３６２、３６４、及び３６６へＣＶＢＳ形式、Ｙ形式、及びＣ形式で第１の再生信号を出力するために用いられる。ＴＶモニタ３６は、第１の再生信号を再生するために用いられる。その３個の入力端３６２、３６４、及び３６６は共通ＡＶ端子である。ＬＣＤモニタ３８は、個々に第３のデジタル−アナログ変換器の組１９の３個のデジタル−アナログ変換器ＤＡＣ３へ結合された３個の入力端３８２、３８４、及び３８６を有する。第３のデジタル−アナログ変換器の組１９の３個のデジタル−アナログ変換器ＤＡＣ３は、マルチプレクサ２５が制御端２５０の制御信号によりタイミング制御器２８によって出力された出力信号セットを出力するよう選択する場合に、出力信号セットをアナログ形式に変換して、個々にＬＣＤモニタ３８の３個の入力端３８２、３８４、及び３８６へＲ形式、Ｇ形式、及びＢ形式で第２の再生信号を出力するために用いられる。従って、ＬＣＤモニタ３８は、第２の再生信号を再生するために用いられる。ＬＣＤモニタ３８は、ＡＶ制御装置３２に内蔵されたＴＦＴＬＣＤであっても良い。
【００１３】
図４を参照する。図４は、本考案の実施例に従うデジタル−アナログ変換器を共用可能なＡＶ再生方法を表すフロー４０の図である。フロー４０は以下のステップを有する。
ステップ４０２：ＤＶＤプレーヤー又はデジタル・テレビジョンを用いて画像データを再生する。
ステップ４０４：画像データを保存する。
ステップ４０６：画像データをデコードして第１の画像信号を発生させる。
ステップ４０８：第１の画像信号を調整して第２の画像信号を発生させる。
ステップ４１０：ＴＶエンコーダを用いて第１の画像信号をテレビジョンビデオ信号に変換する。
ステップ４１２：タイミング制御器を用いて、第２の画像信号に従って対応する出力信号を発生させる。
ステップ４１４：テレビジョンビデオ信号又は出力信号を出力するよう選択する。
ステップ４１６：テレビジョンビデオ信号が出力するよう選択される場合に、アナログコンポジットビデオ形式及びアナログＳビデオ形式でテレビジョンビデオ信号を第１の再生信号に変換する。
ステップ４１８：出力信号が出力するよう選択される場合に、アナログＲ形式、アナログＧ形式、及びアナログＢ形式で出力信号を第２の再生信号に変換する。
ステップ４２０：アナログ形式で第１の再生信号又は第２の再生信号を表示する。
【００１４】
ステップ４０６で、画像デコーダは、第１の画像信号を発生させるよう画像データをデコードするために用いられる。ステップ４０８で、第１の画像信号は、スケーラにより第２の画像信号を発生させるよう調整される。ステップ４１０で、ＴＶエンコーダは、第１の画像信号をテレビジョンビデオ信号に変換するために用いられる。そのテレビジョン信号は、ＣＶＢＳ信号、Ｓビデオ信号、及びクロミナンス・ビデオ信号（例えば、Ｙ、Ｐｂ、Ｐｒ）などであっても良い。ステップ４１２で、出力信号は、Ｒ、Ｇ、及びＢ形式での画像信号であっても良い。テレビジョンビデオ信号又は出力信号は、ステップ４１４により出力するよう選択され、その場合に、同じデジタル−アナログ変換器の組は、ステップ４１６及び４１８において、アナログコンポジットビデオ形式又はアナログＳビデオ形式でテレビジョンビデオ信号を第１の再生信号に変換するために、あるいは、アナログＲ形式、アナログＧ形式、及びアナログＢ形式で出力信号を第２の再生信号に変換するために、用いられても良い。最後に、第１の再生信号及び第２の再生信号は、テレビジョンのＡＶ端子を介して第１の再生信号を送信することによって第１の再生信号を再生する、あるいは、内蔵ＬＣＤモニタへ第２の再生信号を送信することによって第２の再生信号を再生する異なる経路を介して再生される。
【００１５】
上記実施例は、単に本考案を説明するために提示されたにすぎず、本考案の適用範囲の限定であると全く考えられるべきではない。画像デコーダ２２は、ＭＰＥＧ２のみに限られず、他の画像デコーダであっても良い。第３のデジタル−アナログ変換器の組１９の３個のデジタル−アナログ変換器ＤＡＣ３は、マルチプレクサ２５が制御端２５０の制御信号によりＴＶエンコーダ２４によって出力されるＴＶビデオ信号セットを出力するよう選択する場合に、テレビジョンのＡＶ端子に対して個々にＣＶＢＳ形式、Ｙ形式、及びＣ形式で第１の再生信号を出力するためにのみ使用されるのではなく、個々にＹ形式、Ｐｂ形式、Ｐｒ形式、又は他の形式で第１の再生信号を出力するためにも用いられうる。更に、表示装置は、例えば、テレビジョンモニタ、ＴＦＴＬＣＤモニタ、若しくは他のモニタなどの外部接続モニタ又は内蔵モニタであっても良い。
【００１６】
本考案の技術を保ちながら当該装置及び方法の多数の変形及び変更が為されうることは、当業者には明らかであろう。従って、上記開示は、添付の実用新案請求の範囲の技術的範囲によってのみ限定されると解釈されるべきである。
【図面の簡単な説明】
【００１７】
【図１】従来技術に従うＡＶプレーヤーチップの図である。
【図２】本考案の実施例に従うＡＶプレーヤーチップの図である。
【図３】本考案の実施例に従うＡＶシステムの図である。
【図４】本考案の実施例に従うデジタルーアナログ変換器を共用可能なＡＶ再生方法を表すフロー図である。
【符号の説明】
【００１８】
１０，２０  ＡＶプレーヤーチップ
１１，２１  メモリ
１２，２２  画像デコーダ
１４，２４  ＴＶエンコーダ
１６，２６  スケーラ
１８，２８  タイミング制御器
１５，１７，１９  デジタル−アナログ変換器の組
２５  マルチプレクサ
３０  ＡＶシステム
３２  ＡＶ制御装置
３６  ＴＶモニタ
３８  ＬＣＤモニタ
ＤＡＣ１，ＤＡＣ２，ＤＡＣ３  デジタル−アナログ変換器
【図１】
0003133558.tif 000003
【図２】
0003133558.tif 000004
【図３】
0003133558.tif 000005
【図４】
0003133558.tif 000006
【手続補正書】
【提出日】平成19年5月11日(2007.5.11)
【手続補正１】
【補正対象書類名】実用新案登録請求の範囲
【補正対象項目名】全文
【補正方法】変更
【補正の内容】
【実用新案登録請求の範囲】
【請求項１】
デジタル−アナログ変換器を共用可能なＡＶプレーヤーチップであって、
第１の画像信号をＴＶビデオ信号に変換するために用いられるＴＶエンコーダと、
第２の画像信号を受信して、出力信号を発生させるために用いられるタイミング制御器と、
前記ＴＶビデオ信号を受信するよう前記ＴＶエンコーダへ結合され且つ前記出力信号を受信するよう前記タイミング制御器へ結合され、制御信号に従って選択的に前記ＴＶビデオ信号又は前記出力信号を出力するために用いられるマルチプレクサと、
前記ＴＶビデオ信号を第１の再生信号に変換するために及び前記出力信号を第２の再生信号に変換するために前記マルチプレクサへ結合された複数のデジタル−アナログ変換器とを有するＡＶプレーヤーチップ。
【請求項２】
前記マルチプレクサは、
前記ＴＶエンコーダへ結合された第１の入力端の組と、
前記タイミング制御器へ結合された第２の入力端の組と、
前記制御信号を受信するために用いられる制御端と、
個々に前記複数のデジタル−アナログ変換器へ結合された出力端の組とを更に有する、請求項１記載のＡＶプレーヤーチップ。
【請求項３】
前記ＴＶエンコーダへ結合され、前記第１の画像信号を発生させるよう画像データをデコードする画像デコーダを更に有する、請求項１記載のＡＶプレーヤーチップ。
【請求項４】
前記画像デコーダはＭＰＥＧ２（Ｍｏｖｉｎｇ  Ｐｉｃｔｕｒｅ  Ｃｏｄｉｎｇ  Ｅｘｐｅｒｔｓ  Ｇｒｏｕｐ  ２）デコーダである、請求項３記載のＡＶプレーヤーチップ。
【請求項５】
前記画像デコーダと前記タイミング制御器との間に結合され、前記第２の画像信号を発生させるよう前記第１の画像信号を調整するスケーラと、
前記画像デコーダへ結合され、該画像デコーダによってデコードしたい画像データを保存するメモリとを更に有する、請求項３記載のＡＶプレーヤーチップ。
【請求項６】
前記メモリは静的ランダムアクセスメモリ（ＳＲＡＭ）である、請求項５記載のＡＶプレーヤーチップ。
【請求項７】
前記複数のデジタル−アナログ変換器は、個々にＲ接続ポート、Ｇ接続ポート、及びＢ接続ポートへ結合され、Ｒ形式、Ｇ形式、及びＢ形式で前記第２の再生信号を出力する３つのデジタル−アナログ変換器を有する、請求項１記載のＡＶプレーヤーチップ。
【請求項８】
前記複数のデジタル−アナログ変換器は、コンポジットビデオ端子接続ポート及び２つのＳビデオ端子接続ポートへ結合され、コンポジットビデオ形式及びＳビデオ形式で前記第１の再生信号を出力する３つのデジタル−アナログ変換器を有する、請求項１記載のＡＶプレーヤーチップ。
【請求項９】
前記複数のデジタル−アナログ変換器は、Ｙ接続ポート、Ｐｂ接続ポート、及びＰｒ接続ポートへ結合され、Ｙ形式、Ｐｂ形式、及びＰｒ形式で前記第１の再生信号を出力する３つのデジタル−アナログ変換器を有する、請求項１記載のＡＶプレーヤーチップ。
【請求項１０】
デジタル−アナログ変換器を共用可能なＡＶシステムであって：
画像データを供給するために用いられるＡＶ制御装置；
該ＡＶ制御装置へ結合され、
第１の画像信号をＴＶビデオ信号に変換するために用いられるＴＶエンコーダと、
第２の画像信号を受信して、出力信号を発生させるために用いられるタイミング制御器と、
前記ＴＶビデオ信号を受信するよう前記ＴＶエンコーダへ結合され且つ前記出力信号を受信するよう前記タイミング制御器へ結合され、制御信号に従って選択的に前記ＴＶビデオ信号又は前記出力信号を出力するために用いられるマルチプレクサと、
前記ＴＶビデオ信号を第１の再生信号に変換するために及び前記出力信号を第２の再生信号に変換するために前記マルチプレクサへ結合された複数デジタル−アナログ変換器と、
を有するＡＶプレーヤーチップ；及び
前記複数のデジタル−アナログ変換器へ結合され、アナログ形式で前記第１の再生信号又は前記第２の再生信号を表示する表示装置；
を有するＡＶシステム。
【請求項１１】
前記マルチプレクサは、
前記ＴＶエンコーダへ結合された第１の入力端の組と、
前記タイミング制御器へ結合された第２の入力端の組と、
前記制御信号を受信するために用いられる制御端と、
個々に前記複数のデジタル−アナログ変換器へ結合された出力端の組とを更に有する、請求項１０記載のＡＶシステム。
【請求項１２】
前記ＡＶプレーヤーチップは、前記ＴＶエンコーダへ結合され、前記第１の画像信号を発生させるよう画像データをデコードする画像デコーダを更に有する、請求項１０記載のＡＶシステム。
【請求項１３】
前記画像デコーダはＭＰＥＧ２（Ｍｏｖｉｎｇ  Ｐｉｃｔｕｒｅ  Ｃｏｄｉｎｇ  Ｅｘｐｅｒｔｓ  Ｇｒｏｕｐ  ２）デコーダである、請求項１２記載のＡＶシステム。
【請求項１４】
前記ＡＶプレーヤーチップは、
前記画像デコーダと前記タイミング制御器との間に結合され、前記第２の画像信号を発生させるよう前記第１の画像信号を調整するスケーラと、
前記画像デコーダへ結合され、該画像デコーダによってデコードしたい画像データを保存するメモリとを更に有する、請求項１０記載のＡＶシステム。
【請求項１５】
前記メモリは静的ランダムアクセスメモリ（ＳＲＡＭ）である、請求項１４記載のＡＶシステム。
【請求項１６】
前記複数のデジタル−アナログ変換器は、個々にＲ接続ポート、Ｇ接続ポート、及びＢ接続ポートへ結合され、Ｒ形式、Ｇ形式、及びＢ形式で前記第２の再生信号を出力する３つのデジタル−アナログ変換器を有する、請求項１０記載のＡＶシステム。
【請求項１７】
前記複数のデジタル−アナログ変換器は、コンポジットビデオ端子接続ポート及び２つのＳビデオ端子接続ポートへ結合され、コンポジットビデオ形式及びＳビデオ形式で前記第１の再生信号を出力する３つのデジタル−アナログ変換器を有する、請求項１０記載のＡＶシステム。
【請求項１８】
前記複数のデジタル−アナログ変換器は、Ｙ接続ポート、Ｐｂ接続ポート、及びＰｒ接続ポートへ結合され、Ｙ形式、Ｐｂ形式、及びＰｒ形式で前記第１の再生信号を出力する３つのデジタル−アナログ変換器を有する、請求項１０記載のＡＶシステム。
【請求項１９】
前記ＡＶ制御装置は、デジタル・バーサトル・ディスク・プレーヤー（ＤＶＤプレーヤー）、デジタル・バーサトル・ディスク・デコーダ（ＤＶＤデコーダ）、又はデジタル・テレビジョンである、請求項１０記載のＡＶシステム。
【請求項２０】
前記表示装置は、テレビジョンモニタ又はＴＦＴＬＣＤである、請求項１０記載のＡＶシステム。